(57)【特許請求の範囲】
【請求項１】
超広帯域システムに関する多元接続方法であって、
前記超広帯域システムの第１のチャネルと関連づけられた第１のパルス繰り返し期間を制御することと、
前記第１のパルス繰り返し期間だけ時間的に分離されたパルスを提供することであって、前記第１のパルス繰り返し期間は、前記超広帯域システムの第２の超広帯域チャネルと関連づけられた第２のパルス繰り返し期間と異なることと、
第１の擬似ランダムシーケンスにしたがって、前記第１のパルス繰り返し期間を調整するとともに、前記第２のパルス繰り返し期間を、前記第１の疑似ランダムシーケンスとは異なる第２の疑似ランダムシーケンスにしたがって調整することと、を具備し、
前記第１の擬似ランダムシーケンスを第１の組のデバイスパラメータに従って生成するとともに、前記第２の擬似ランダムシーケンスを第２の組のデバイスパラメータに従って生成することをさらに具備する、超広帯域システムに関する多元接続方法。
【請求項２】
前記超広帯域システムは、関連づけられた基準パルス及びデータパルスを採用する送信基準システムであり、
前記第１のチャネルと関連づけられた基準パルスは、前記第１のパルス繰り返し期間だけ時間的に分離される請求項１に記載の方法。
【請求項３】
前記第１のパルス繰り返し期間を調整することは、前記第１のチャネルと関連づけられたパルスが前記第２のチャネルと関連づけられたパルスと干渉しないように前記第１のパルス繰り返し期間を調整することをさらに備える請求項１に記載の方法。
【請求項４】
前記第１及び第２のチャネルを介して同時並行して通信することをさらに備える請求項１に記載の方法。
【請求項５】
各チャネルの帯域幅は、少なくとも５００ＭＨｚである請求項１に記載の方法。
【請求項６】
前記パルスを提供することは、前記第１のチャネルを通じて送信するためにパルスを生成することをさらに備える請求項１に記載の方法。
【請求項７】
前記パルスを提供することは、前記第１のチャネルを介して受信された信号から受信パルスを生成することをさらに備える請求項１に記載の方法。
【請求項８】
超広帯域システムに関する多元接続を提供するための装置であって、
前記超広帯域システムの第１のチャネルと関連づけられた第１のパルス繰り返し期間を制御するように構成された少なくとも１つのパルス繰り返しコントローラと、
前記第１のパルス繰り返し期間だけ時間的に分離されたパルスを提供するように構成された少なくとも１つの信号生成器であって、前記第１のパルス繰り返し期間は、前記超広帯域システムの第２のチャネルと関連づけられた第２パルス繰り返し期間と異なる信号生成器と、
第１の擬似ランダムシーケンスを生成するように構成された少なくとも１つの擬似ランダムシーケンス生成器と、を具備し、
前記少なくとも１つのパルス繰り返しコントローラは、前記第１のパルス繰り返し期間を前記第１の擬似ランダムシーケンスに従って調整するとともに、前記第２のパルス繰り返し期間を、前記第１の擬似ランダムシーケンスと異なる第２の擬似ランダムシーケンスに従って調整するように構成され、
第１及び第２の組のデバイスパラメータを格納するように構成された少なくとも１つのデータメモリをさらに備え、前記少なくとも１つの擬似ランダムシーケンス生成器は、前記第１の擬似ランダムシーケンスを前記第１の組のデバイスパラメータに従って生成するとともに、前記第２の擬似ランダムシーケンスを前記第２の組のデバイスパラメータに従って生成するように構成される、超広帯域システムに関する多元接続を提供するための装置。
【請求項９】
前記超広帯域システムは、関連づけられた基準パルス及びデータパルスを採用する送信基準システムであり、
前記第１のチャネルと関連づけられた基準パルスは、前記第１のパルス繰り返し期間だけ時間的に分離される請求項８に記載の装置。
【請求項１０】
前記少なくとも１つのコントローラはさらに、前記第１のチャネルと関連づけられたパルスが前記第２のチャネルと関連づけられたパルスと干渉しないように、前記第１のパルス繰り返し期間を調整するように構成される請求項８に記載の装置。
【請求項１１】
各チャネルの帯域幅は、少なくとも５００ＭＨｚである請求項８に記載の装置。
【請求項１２】
前記少なくとも１つの信号生成器は、前記第１のチャネルを通じて送信するためのパルスを生成するように構成された少なくとも１つのパルス生成器をさらに備える請求項８に記載の装置。
【請求項１３】
前記少なくとも１つの信号生成器は、前記第１のチャネルを介して受信された信号から受信パルスを生成するように構成された少なくとも１つの受信機回路をさらに備える請求項８に記載の装置。
【請求項１４】
超広帯域システムに関する多元接続を提供するための装置であって、
前記超広帯域システムの第１のチャネルと関連づけられた第１のパルス繰り返し期間を制御するための手段と、
前記第１のパルス繰り返し期間だけ時間的に分離されたパルスを提供するための手段であって、前記第１のパルス繰り返し期間は、前記超広帯域システムの第２のチャネルと関連づけられた第２のパルス繰り返し期間と異なる手段と、
第１の擬似ランダムシーケンスにしたがって前記第１のパルス繰り返し期間を調整するとともに、前記第２のパルス繰り返し期間を、前記第１の疑似ランダムシーケンスとは異なる第２の疑似ランダムシーケンスにしたがって調整するための手段と、を具備し、
前記第１の擬似ランダムシーケンスを第１の組のデバイスパラメータに従って生成するとともに、前記第２の擬似ランダムシーケンスを、第２の組のデバイスパラメータに従って生成するための手段をさらに備える、超広帯域システムに関する多元接続を提供するための装置。
【請求項１５】
前記超広帯域システムは、関連づけられた基準パルス及びデータパルスを採用する送信基準システムであり、
前記第１のチャネルと関連づけられた基準パルスは、前記第１のパルス繰り返し期間だけ時間的に分離される請求項１４に記載の装置。
【請求項１６】
前記第１のチャネルと関連づけられたパルスが前記第２のチャネルと関連づけられたパルスと干渉しないように前記第１のパルス繰り返し期間を調整するための手段をさらに備える請求項１４に記載の装置。
【請求項１７】
各チャネルの帯域幅は、少なくとも５００ＭＨｚである請求項１４に記載の装置。
【請求項１８】
パルスを提供するための前記手段は、前記第１のチャネルを通じて送信するためのパルスを生成するための手段をさらに備える請求項１４に記載の装置。
【請求項１９】
パルスを提供するための前記手段は、前記第１のチャネルを介して受信された信号から受信パルスを生成するための手段をさらに備える請求項１４に記載の装置。
【請求項２０】
超広帯域システムに関する多元接続を提供するためのコンピュータプログラムであって、
前記超広帯域システムの第１のチャネルと関連づけられた第１のパルス繰り返し期間を制御し、
前記第１のパルス繰り返し期間だけ時間的に分離されたパルスを提供することであって、前記第１のパルス繰り返し期間は、前記超広帯域システムの第２のチャネルと関連づけられた第２のパルス繰り返し期間と異なり、
第１の擬似ランダムシーケンスにしたがって、前記第１のパルス繰り返し期間を調整するとともに、前記第１の疑似ランダムシーケンスとは異なる第２の疑似ランダムシーケンスにしたがって前記第２のパルス繰り返し期間を調整し、
前記第１の擬似ランダムシーケンスを第１の組のデバイスパラメータに従って生成するとともに、前記第２の擬似ランダムシーケンスを第２の組のデバイスパラメータに従って生成する、ことをコンピュータに行わせるためのコードを具備する、超広帯域システムに関する多元接続を提供するためのコンピュータプログラム。
【請求項２１】
ヘッドセットであって、
音声信号を生成するように構成された変換器と、
超広帯域システムの第１のチャネルと関連づけられた第１のパルス繰り返し期間を制御するように構成された少なくとも１つのパルス繰り返し制御器と、
前記第１のパルス繰り返し期間だけ時間的に分離されたパルスを提供するように構成された少なくとも１つの信号生成器であって、前記パルスの１つ以上は、前記音声信号によって変調され、前記第１のパルス繰り返し期間は、前記超広帯域システムの第２の超広帯域チャネルと関連づけられた第２のパルス繰り返し期間と異なる信号生成器と、
第１の擬似ランダムシーケンスを生成するように構成された少なくとも１つの擬似ランダムシーケンス生成器と、を具備し、
前記少なくとも１つのパルス繰り返し制御器は、前記第１の擬似ランダムシーケンスにしたがって、前記第１のパルス繰り返し期間を調整するとともに、前記第２のパルス繰り返し期間を、前記第１の疑似ランダムシーケンスとは異なる第２の疑似ランダムシーケンスにしたがって調整するように構成され、
第１及び第２の組のデバイスパラメータを格納するように構成された少なくとも１つのデータメモリをさらに備え、前記少なくとも１つの擬似ランダムシーケンス生成器は、前記第１の擬似ランダムシーケンスを前記第１の組のデバイスパラメータに従って生成するとともに、前記第２の擬似ランダムシーケンスを前記第２の組のデバイスパラメータに従って生成するように構成される、ヘッドセット。
【請求項２２】
センサデバイスであって、
データを生成するように構成されたセンサと、
超広帯域システムの第１のチャネルと関連づけられた第１のパルス繰り返し期間を制御するように構成された少なくとも１つのパルス繰り返し制御器と、
前記第１のパルス繰り返し期間だけ時間的に分離されたパルスを提供するように構成された少なくとも１つの信号生成器であって、前記パルスの１つ以上は、前記データによって変調され、前記第１のパルス繰り返し期間は、前記超広帯域システムの第２の超広帯域チャネルと関連づけられた第２のパルス繰り返し期間と異なる信号生成器と、
第１の擬似ランダムシーケンスを生成するように構成された少なくとも１つの擬似ランダムシーケンス生成器と、を具備し、
前記少なくとも１つのパルス繰り返し制御器は、前記第１の擬似ランダムシーケンスにしたがって、前記第１のパルス繰り返し期間を調整するとともに、前記第２のパルス繰り返し期間を、前記第１の疑似ランダムシーケンスとは異なる第２の疑似ランダムシーケンスにしたがって調整するように構成され、
第１及び第２の組のデバイスパラメータを格納するように構成された少なくとも１つのデータメモリをさらに備え、前記少なくとも１つの擬似ランダムシーケンス生成器は、前記第１の擬似ランダムシーケンスを前記第１の組のデバイスパラメータに従って生成するとともに、前記第２の擬似ランダムシーケンスを前記第２の組のデバイスパラメータに従って生成するように構成される、センサデバイス。
【発明の詳細な説明】
【技術分野】
【０００１】
本特許出願は、一般的には、通信に関するものであり、さらに複数のデバイスが無線媒体にアクセスするのを可能にする技法に関するものである。
【背景技術】
【０００２】
無線通信システムにおいては、複数の無線デバイスが、所定の無線周波数帯域内の周波数を有する信号を介して互いに通信することができる。ここで、１つのデバイスからの送信が他のデバイスからの送信と干渉するのを防止するための装備を設けることができる。例えば、幾つかのシステムは、ある時点においては１つのデバイスのみが所定の媒体（例えば、無線周波数帯域）を用いることを許容するメディアアクセス制御を採用する。これを完遂させるための１つの方法は、各デバイスが媒体を確認して他のデバイスが現在その媒体を通じて送信中であるかどうかを決定することを要求する。媒体が使用中である場合は、デバイスは、媒体が使用中でないのちの時点まで送信を遅延させる。代替として、幾つかのシステムは、送信された信号を修正する拡散スペクトル等のシグナリング技法を用いて、１つのデバイスが他のデバイスによる同じ周波数帯域内での同時送信と干渉する可能性を引き下げる。
【０００３】
上記のような技法は、様々な無線通信システムにおいて採用することができる。該無線通信システムの一例は、超広帯域システムである。幾つかの実装においては、超広帯域システムは、５００ＭＨｚ以上のオーダーのパルスシグナリング及び帯域幅を採用することができる。
【０００４】
超広帯域システムにおいて用いるための様々な多元接続技法が提案されている。一例は、直接シーケンス、時間ホッピング又はこれらの２つの方式の適切な組合せを組み入れた符号分割多元接続（“ＣＤＭＡ”）である。他の例は、周波数分割多元接続（“ＦＤＭＡ”）である。アドホック多元接続技法のＡＬＯＨＡ系統の使用も、例えばピコネット内衝突の解決のために提案されている。超広帯域パルスの継続時間を変えることによって長さ分割多元接続（“ＬＤＭＡ”）を用いるカオス式超広帯域システムが提案されている。
【０００５】
典型的用途においては、超広帯域システムは、相対的に短い距離にわたる通信に関して用いられる。例えば、超広帯域技術は、ボディエリアネットワーク（“ＢＡＮ”）又はパーソナルエリアネットワーク（“ＰＡＮ”）に関する物理レイヤ実装において採用することができる。該ＢＡＮ又はＰＡＮにおいては電力及びデータレートに関して異なる要件を有する非常に様々な無線デバイスを採用することができる。従って、様々な超広帯域受信機設計手法を採用することができる。例えば、受信機設計は、コヒーレントＲＡＫＥ受信機設計、非コヒーレントエネルギー検出器設計、又は送信基準設計を採用することができる。このように用途上の要件が異なることを考慮した場合、無線通信に関して有効かつ適合可能な多元接続技法が必要である。
【発明の概要】
【０００６】
本開示の選択された側面の要約が以下において示される。ここにおいては、便宜上、１つ以上の側面が“側面”と呼ばれることがある。
【０００７】
幾つかの側面においては、無線システムに関する多元接続技法は、共通の無線媒体に同時並行してアクセスする異なるチャネルに関して異なる時間間隔を定義する。例えば、パルス式無線システムにおいては、１つのチャネルに関するパルスは、所定の期間又は期間（複数）だけ分離され、他のチャネルに関するパルスは、異なる期間又は期間（複数）だけ分離される。該技法を用いることを通じて、（例えば１つ以上のユーザーと関連づけられた）２つ以上のデバイスが、２つ以上の同時並行してアクティブなチャネルを介して通信することができる。
【０００８】
幾つかの側面においては、送信基準システムに関して多元接続技法が提供される。ここで、異なるチャネルに関する送信基準パルスと関連づけられたデータパルスとの間で異なる遅延期間を定義することができる。例えば、基準パルスと関連づけられたデータパルスとの間において固定された遅延期間を利用するシステムにおいては、１つのチャネルに関して１つの遅延期間が定義され、他のチャネルに関して異なる遅延期間が定義される。基準パルスと関連づけられたデータパルスとの間において複数の遅延期間を利用するシステムにおいては、１つのチャネルに関して一組の遅延期間が定義され、他のチャネルに関して異なる一組の遅延期間が定義される。基準パルスと関連づけられたデータパルスとの間において調整可能な遅延期間を利用するシステムにおいては、１つのチャネルに関して１つの遅延調整シーケンスが定義され、他のチャネルに関して異なる遅延調整シーケンスが定義される。
【０００９】
幾つかの側面においては、多元接続技法は、複数のチャネルに関して共通の基準パルスを用いる。例えば、システムは、２つのデータパルスによって後続される基準パルスを生成することができる。ここで、第１のチャネルと関連づけられた第１のデータパルスは、前記第１のチャネルに関して定義された遅延期間だけ遅れて前記基準バルスに後続することができる。第２のチャネルと関連づけられた第２のデータパルスは、前記第２のチャネルに関して定義された異なる遅延期間だけ遅れて前記基準バルスに後続することができる。
【００１０】
幾つかの側面においては、多元接続技法は、異なるチャネルに関して異なるパルス繰り返し期間を定義する。例えば、１つのチャネルを通じて送信されるパルスは、１つのパルス繰り返し期間だけ分離することができ、他のチャネルを通じて送信されるパルスは、異なるパルス繰り返し期間だけ分離することができる。所定のチャネルに関するパルス繰り返し期間は、調整可能である。この場合においては、異なるチャネルに異なるパルス繰り返し期間シーケンスを割り当てることができる。一例として、１つのチャネルには１つの擬似ランダムパルス繰り返し期間シーケンスを割り当てることができ、他のチャネルには異なる擬似ランダムパルス繰り返し期間シーケンスを割り当てることができる。
【００１１】
幾つかの側面においては、異なるパルス繰り返し期間を組み入れた多元接続技法を送信基準システムに実装することができる。ここで、上述される送信基準技法のうちの１つ以上を採用することもできる。例えば、システムは、異なるパルス繰り返し期間及び基準パルスとデータパルスとの間における異なる遅延期間を用いることで異なるチャネルを定義することができる。
【００１２】
幾つかの側面においては、上記の技法のうちの１つ以上を超広帯域システムにおいて採用することができる。例えば、各チャネルに関して異なるパルス繰り返し期間及び／又は基準パルスとデータパルスとの間における異なる遅延期間を定義することによって複数の超広帯域チャネルを定義することができる。
【図面の簡単な説明】
【００１３】
本開示の上記の及びその他の特長、側面及び利点は、以下の発明を実施するための形態、添付された請求項、及び添付図面を参照することでより完全に理解されるであろう。
【図１】同時並行チャネルを提供するように適合化された通信システムの幾つかの典型的側面の単純化されたブロック図である。
【図２】１つ以上のチャネルを介して確立及び通信するために行うことができる動作の幾つかの典型的側面の流れ図である。
【図３】異なるチャネルに関する基準パルスとデータパルスとの間における異なる遅延の例を示す単純化された図である。
【図４】異なるチャネルに関する異なるパルス繰り返し期間の例を示す単純化された図である。
【図５】パルス式システムに関する送信機の幾つかの典型的側面の単純化されたブロック図である。
【図６】パルス式信号を送信するために行うことができる動作の幾つかの典型的側面の流れ図である。
【図７】送信又は受信されたパルスに関する遅延期間を定義するために行うことができる動作の幾つかの典型的側面の流れ図である。
【図８】パルス式システムに関する受信機の幾つかの典型的側面の単純化されたブロック図である。
【図９】パルス式信号を受信するために行うことができる動作の幾つかの典型的側面の流れ図である。
【図１０】複数のチャネルに関する共通の基準パルスの使用例を示す概略図である。
【図１１】複数のチャネルに関する共通の基準パルスを提供するシステムの幾つかの典型的側面の単純化されたブロック図である。
【図１２】複数のチャネルに関する共通の基準パルスを提供することに関連して行うことができる動作の幾つかの典型的側面の流れ図である。
【図１３】異なるチャネルに関する異なるパルス繰り返し期間の例を示す概略図である。
【図１４】異なるパルス繰り返し期間を用いてパルスを送信するために行うことができる動作の幾つかの典型的側面の流れ図である。
【図１５】２進位相偏移変調を実装する送信基準信号の例を示す概略図である。
【図１６】２進パルス位置変調を実装する送信基準信号の例を示す概略図である。
【図１７】信号を送信するように適合化された装置の幾つかの典型的側面の単純化されたブロック図である。
【図１８】信号を受信及び生成するように適合化された装置の幾つかの典型的側面の単純化されたブロック図である。
【図１９】パルス繰り返し期間に従ってパルスを提供するように適合化された装置の幾つかの典型的側面の単純化されたブロック図である。
【００１４】
共通の慣行により、図面において例示される様々な特長は、原寸どおりに描かなくてもよい。従って、様々な特徴の寸法は、明確化することを目的として任意に拡大又は縮小することができる。さらに、図面の一部は、明確化を目的として単純化することができる。従って、図面は、所定の装置又は方法のすべての構成要素を描かない場合がある。最後に、本明細書及び図全体を通じて類似の特長を表すために類似の参照数字を用いることができる。
【発明を実施するための形態】
【００１５】
本開示の様々な側面が以下において説明される。ここにおける教示は非常に様々な形態で具体化できること及びここにおいて開示される特定の構造及び／又は機能は単なる代表例であるにすぎないことが明確なはずである。ここにおける教示に基づき、当業者は、ここにおいて開示される側面はその他の側面と無関係に実装できること及びこれらの側面のうちの２つ以上を様々な方法で組み合わせることができることを明確に理解するはずである。例えば、ここにおいて詳述される側面のうちのあらゆる数の側面を用いて装置を実装することができ及び／又は方法を実践することができる。さらに、ここにおいて詳述される側面のうちの１つ以上に加えての又はそれ以外のその他の構造及び／又は機能を用いて該装置を実装でき又は該方法を実践することができる。
【００１６】
無線通信システムにおいて採用される多元接続技法は、２つ以上のデバイスが共有される通信媒体を通じて通信するのを可能にする。一例として、図１は、幾つかの無線通信デバイス１０２、１０４、１０６及び１０８が互いとの無線通信チャネル１１０、１１２、１１４及び１１６を確立するように適合化されているシステム１００の一定の側面を示す。図１の複雑さを低減するために、これらのデバイスの選択された側面のみがデバイス１０２と関連して示される。しかしながら、デバイス１０４、１０６及び１０８は同様の機能を組み込むことができるということが明確に理解されるべきである。
【００１７】
図１の例においては、デバイス１０２、１０４、１０６及び１０８は、パルス式物理レイヤを介して通信する。幾つかの側面においては、物理レイヤは、相対的に短い長さ（例えば、数ナノ秒のオーダー）及び相対的に広い帯域幅を有する超広帯域パルスを利用することができる。幾つかの側面においては、超広帯域信号は、約２０％よりも大きい比帯域幅を有するか又は約５００ＭＨｚよりも大きい帯域幅を有する信号であると定義することができる。
【００１８】
幾つかの側面においては、システム１００は、送信基準システムを備えることができる。この事例においては、デバイスは、関連づけられたデータパルスが後続する基準パルスを送信することによってデータを送信する。パルスを受け取るデバイスは、基準パルスを“雑音性整合フィルタ”として用いてデータパルスによって表されるデータを検出することができる。
【００１９】
デバイス１０２は、１つ以上のチャネルを確立してこれらのチャネルを通じて通信するために用いることができる幾つかの構成要素を示す。例えば、プロセッサ１１８は、チャネルを通じて信号を送信し、チャネルから信号を受信するためにトランシーバ１２０と協力することができる。ここで、プロセッサ１１８は、チャネルを設定するための機能１２２を実装する。このチャネル設定構成要素１２２は、異なるチャネルに関する異なるシグナリングパラメータ（例えば、パルス間間隔）を定義及び実装するために用いることができる。プロセッサ１１８は、各デバイスが所定のチャネルを通じて通信するために同じシグナリングパラメータを用いるようにその他のデバイスと関連づけるための機能１２４も実装する。
【００２０】
有利なことに、ここにおいて教示されるような多元接続技法を用いることを通じて、デバイス１０２、１０４、１０６及び１０８は、共有媒体を同時並行して（同時に）利用することができる。例えば、デバイス１０２、１０４、１０６及び１０８は、同じ超広帯域周波数帯域内において同時並行して信号を送信することができる。図１において描かれるように、デバイス１０２は、２つ以上の同時並行して動作するチャネル（例えば、チャネル１１０及び１１２）を介してデバイス１０４と通信することができる。さらに、デバイス１０２は、異なるチャネル（例えば、チャネル１１０及び１１４）を通じて複数のデバイス（例えば、デバイス１０４及び１０６）と同時並行して通信することができる。さらに、一組のデバイス（例えば、デバイス１０２及び１０４）は、１つのチャネル（チャネル１１０）を介して通信することができ、他方、他の組のデバイス（例えば、デバイス１０６及び１０８）は、他のチャネル（例えば、チャネル１１６）を介して同時並行して通信する。
【００２１】
図１のシステム１００は、多元接続技法を採用することができる１つの可能なシステムの例として提供される。ここにおける教示は、様々な通信技法及びプロトコルをサポートする様々な型のデバイスを用いて実装されるその他の型のシステム内に組み入れることができることが明確に理解されるべきである。
【００２２】
次に、チャネルを確立してそのチャネルを通じて通信するために用いることができる典型的動作が図２の流れ図と関連して説明される。便宜上、図２（及び本明細書のその他のあらゆる流れ図）の動作は、特定の構成要素によって行われるとして説明することができる。しかしながら、これらの動作は、その他の構成要素と関連して及び／又はその他の構成要素によって実行可能であることが明確に理解されるべきである。
【００２３】
無線通信システム内のデバイスは、最初に既知のチャネルを通じて通信することによって他のデバイスとチャネルを確立するように構成することができる。ここで、チャネルを確立することを求める無線デバイスは、既知のチャネルを通じて予備のメッセージ（例えば、ポーリングメッセージ）を送信することができる。さらに、システム内の各デバイスは、既知のチャネルを定期的に走査して予備メッセージの有無を確認するように構成することができる。
【００２４】
従って、ブロック２０２によって表されるように、デバイスは、無線媒体に信号を送信する及び無線媒体から信号を受信するために最初にデフォルトパラメータ値を用いるように各々のトランシーバを構成することができる。例えば、デバイスは、パルス繰り返し期間を既知のチャネルに関して定義される値に設定することができる。さらに、送信基準システムにおいては、デバイスは、基準パルスとデータパルスとの間における遅延を既知のチャネルに関して定義される値に設定することができる。さらに、既知のチャネルに関して調整可能な間隔を用いる実装においては、デバイスは、間隔を調整するためにデフォルトシーケンス（例えば、デフォルト擬似ランダムシーケンス）を用いるようにトランシーバを構成することができる。
【００２５】
ブロック２０４によって表されるように、既知のチャネルを通じて２つ以上のデバイス間で予備通信が確立された時点で、これらのデバイスは、各デバイスの各々の能力を学ぶための関連づけ手順を実施することができる。これらの能力に基づき、デバイスは、引き続く通信のためのチャネルを確立する交渉を行うことができる。
【００２６】
ブロック２０６によって表されるように、デバイスのうちの１つ以上は、チャネルに関して使用すべきチャネルパラメータを選択することができる。これらのチャネルパラメータは、例えば、基準パルスとデータパルスとの間における遅延に関する１つ以上の値、１つ以上のパルス繰り返し期間、その他の幾つかの適切なパラメータ、又はこれらのパラメータのうちの２つ以上のパラメータの組合せを含むことができる。以下においてさらに詳細に説明されるように、一般的には、これらのチャネルパラメータは、通信システムにおけるその他のチャネルとの干渉を回避するか又は干渉確率を引き下げることを目的として選択される。
【００２７】
幾つかの事例においては、デバイスは、所定のチャネルに関して用いられるパラメータを一方的に定義することができる。例えば、デバイスは、チャネルパラメータをランダムに選択することができる。代替として、デバイスは、一組の１つ以上のデバイス関連パラメータ（例えば、デバイスアドレス、デバイス位置、時刻、等）に基づいてチャネルパラメータを選択することができる。その他の事例においては、デバイスは、システム内において定義される又は定義済みであるその他のチャネル（例えば、現在アクティブなチャネル）のチャネルパラメータに関して有する情報に基づいてチャネルパラメータを選択することができる。いずれの事例においても、ブロック２０８によって表されるように、デバイスは、チャネルを通じて通信する各デバイスにこのチャネルパラメータ情報を送信することができる。
【００２８】
代替として、幾つかの事例においては、デバイスは、チャネルパラメータを定義するために１つ以上のその他のデバイスと通信することができる。例えば、デバイスは、システム内において定義されるその他のチャネルのチャネルパラメータに関してその他のデバイスから入手する情報に基づいてチャネルを選択することができる。幾つかの事例においては、関連づけ手順と関連して、２つ以上デバイスがチャネルパラメータを選択するための交渉をすることができる。
【００２９】
ブロック２１０によって表されるように、すべてのデバイスが選択されたチャネルパラメータを生成又は入手した時点で、これらのデバイスは、選択されたチャネルパラメータに従って信号を送信及び受信するように各々のトランシーバを設定することができる。
【００３０】
通信システムにおいてその他のチャネルを確立して使用するために上述される動作と同様の動作を行うことができる。しかしながら、この場合は、無線デバイスは、システム内のその他のチャネルと同時並行して用いることができるチャネルを確立するためにブロック２０６において異なるチャネルパラメータを選択することができる。ここで、同時並行するチャネルがチャネルの信号（例えば、パルス）間において相対的にほとんど干渉することなしに動作できるように１つ以上のチャネルに関するチャネルパラメータ（例えば、基準とデータとの間における遅延、パルス繰り返し期間、調整シーケンス）を選択することができる。図３及び４は、同時並行チャネルを確立するために用いることができる２つのシグナリング例を示す。
【００３１】
図３は、異なるチャネルに関する基準パルスとデータバルスとの間における異なる遅延期間の定義を示す。チャネル１に関しては、データパルス３０２が遅延期間３０６だけ遅れて基準パルス３０４に後続する。チャネル２に関しては、データパルス３０８が遅延期間３１２だけ遅れて基準パルス３１０に後続する。図３に示されるように、遅延期間３１２は、遅延期間３０６と異なる。この方法により、チャネル１に関するパルスがチャネル２のパルスと干渉する確率を引き下げること又は実質的にゼロにすることができる。
【００３２】
さらに、各遅延期間３０６又は３１２は、各々の基準パルスとデータパルスとの間における干渉を回避するような遅延期間を選択することができる。例えば、各遅延期間３０６又は３１２は、最大チャネル遅延範囲よりも大きくすることができる。この遅延範囲は、パルス（例えば、基準パルス３０４又は３１０）からのエネルギーのほとんどがキャプチャされる時間間隔を表す。
【００３３】
図４は、異なるチャネルに関する異なるパルス繰り返し期間の定義を示す。チャネル１に関しては、第２の組のパルス４０４がパルス繰り返し期間４０８だけ遅れて第１の組のパルス４０６に後続する。チャネル２に関しては、第２の組のパルス４１０がパルス繰り返し期間４１４だけ遅れて第１の組のパルス４１２に後続する。繰り返しになるが、パルス繰り返し期間４０８は、パルス繰り返し期間４１４と異なる。さらに、このことは、２つのチャネル間の干渉を低減させること又は実質的に排除することを可能にする。
【００３４】
異なるパルス繰り返し期間の使用は、様々なパルス式通信システムに適用可能である。図４の具体例は、送信基準システムに関するものである。ここで、基準パルスとデータパルスとの間における遅延期間は矢印４０２によって表される。以下においてさらに詳細に説明されるように、２つのチャネルに関して同じ遅延期間４０２又は異なる遅延期間４０２を定義することができる。
【００３５】
次に、無線システムの典型的構成要素及び動作が図５乃至９と関連させて説明される。図５及び６は、幾つかの側面においては送信基準信号を送信することに関する図である。図７は、チャネル遅延パラメータを定義するために実行することができる動作に関する図である。図８及び９は、幾つかの点においては送信基準信号を受信することに関する図である。
【００３６】
図５は、パルスを生成するように適合化された信号生成器（例えば、パルス生成器５０２）と、遅延回路５０４と、結合回路（例えば、乗算器５０６と加算器５０８とを含む）と、を含む送信機５００を示す。送信機５００の典型的動作が図６の流れ図と関連させて説明される。
【００３７】
図６においてブロック６０２によって表されるように、最初に、送信機５００を含む無線デバイスは、例えば上図２と関連させて説明されるように、チャネル遅延パラメータを定義することができる。以下では、これらの動作が、図７の流れ図を参照しつつある程度詳細に説明される。
【００３８】
図７のブロック６０２は、通信システムにおける１つ以上のチャネルの各々に関して１つ以上のチャネル遅延パラメータを定義するために後続する動作を実行可能であることを表す。一般的には、これらの動作は、基準とデータとの間における遅延、パルス繰り返し期間又はチャネルを定義するために用いることができるその他の何らかのパラメータを選択することと関連させて行うことができる。各チャネルに関して複数の動作を行うことができる。例えば、動作は、最初は、基準とデータとの間における固定された又は可変の遅延を選択するために行い、他の時には同じチャネルに関する固定された又は可変のパルス繰り返し期間を選択するために行うことができる。これらの動作は、１つ以上のチャネルに関して行うことができる。例えば、ここにおいて説明されるように、いずれか１つのチャネルに関するパラメータは、その他のチャネルとの干渉を回避するようなパラメータを選択することができる。さらに、ここにおいて説明されるように、２つ以上のチャネルに関するパラメータに関して、これらのチャネル間での干渉又はその他のチャネルとの干渉を回避するようなパラメータを選択することができる。
【００３９】
ブロック７０２によって表されるように、チャネルに関する遅延パラメータは、固定された遅延又は調整可能な遅延であることができる。後者の一例として、遅延パラメータは、既知のシーケンスに従って１つの範囲の遅延値を通じて連続的に調整可能である。この場合は、シーケンスに関する情報を有する受信機は、その受信機が送信されたシーケンスに合わせて同期化した時点でシーケンスを用いて送信されたデータを復元することができる。
【００４０】
ブロック７０４によって表されるように、遅延が固定されている場合は、デバイスは、チャネルに関して１つ以上の遅延期間を選択する。例えば、以下においてより詳細に説明されるように、2進位相偏移変調又はその他の何らかのｎ進位相偏移変調を採用する送信基準システムにおいては、データパルスは、所定の遅延期間だけ遅れて基準パルスに後続する。代替として、２進パルス位置変調又はその他の何らかのｎ進パルス位置変調を採用する送信基準システムにおいては、データパルスは、予め定義された一組の異なる遅延期間のうちの１つの遅延期間だけ遅れて基準パルスに後続する。
【００４１】
デバイスは、遅延を選択するように適合化された１つ以上の構成要素を含むことができる。例えば、送信機５００は、基準とデータの間における遅延期間を選択するように適合化された固定遅延選択器５１０を含むことができる。受信機８００は、同様の固定遅延選択器８０８を含むことができる。さらに、送信機５００は、パルス繰り返し期間を選択するように適合化された固定遅延選択器５１２を含むことができ、受信機８００は、同様の固定遅延選択器８１０を含むことができる。実際上は、共通の固定遅延選択器を送信機５００及び受信機８００によって用いることができる。すなわち、選択器５１０及び８０８は同じ選択器を備えることができ、選択器５１２及び８１０は、同じ選択器を備えることができる。対応する選択プロセス又はプロセス（複数）は、例えば図７のブロック７０６、７０８及び７１０によって表されるように様々な方法で実行することができる。
【００４２】
一般的には、デバイスは、その他のチャネルとの干渉を回避する又は干渉確率を引き下げるような期間を選択する（ブロック７０６）。例えば、異なるチャネルに関して選択される期間は、直交又は実質的に直交であることができる。この方法により、１つのチャネルに関するパルスが他のチャネルに関するパルスと衝突するのを防止することができる。上述されるように、デバイスは、新しいチャネルに関するパラメータを選択時にはその他のアクティブ又は非アクティブなチャネルのパラメータに関する情報を考慮に入れることができる。該情報は、例えば、そのデバイスによって用いられた前のチャネルに基づいて又はその他のデバイス（例えば、ピアデバイス又は中央制御装置デバイス）によって提供される情報に基づいて取得することができる。
【００４３】
ブロック７０８によって表されるように、幾つかの用途においては、デバイスは、ランダムに期間を選択することができる。この手法は、例えば、シグナリングのデューティサイクルが相対的に低い用途において適する。ここで、１つのチャネルに関するパルスが他のチャネルに関するパルスと衝突する確率を相対的に低くすることができる。従って、各デバイスによるランダムな期間選択は、衝突を防止する上で又は衝突尤度を引き下げる上で適切であることを証明できる。
【００４４】
ブロック７１０によって表されるように、幾つかの用途においては、デバイスは、期間を選択するために他のデバイスと通信することができる。上述されるように、デバイスは、システム内において現在アクティブであるか又は以前にアクティブであったその他のチャネルの期間に関するその他のデバイスから入手した情報に基づいて期間を選択することができる。さらに、幾つかの事例においては、２つ以上のデバイスが、関連づけ手順又はその他の何らかの手順と関連して期間を選択する交渉をすることができる。
【００４５】
幾つかの側面においては、ブロック７１１によって表されるように、遅延は、１つ以上のパラメータ（例えば、デバイス関連パラメータ）に基づいて選択することができる。これらのパラメータは、チャネルを介して通信していることになるデバイスのうちの１つ以上のデバイスと関連することができる。例えば、遅延は、デバイスのアドレス、デバイスの所在位置、時刻、デバイスの型、又はその他の適切なパラメータのうちの１つ以上に基づいて選択することができる。この方法により、１つ以上のデバイスが、その他のパラメータに基づいて選択された遅延に関して一意である（又は一意である確率が高い）遅延を選択することができる。
【００４６】
典型的用途においては、これらのパラメータのうちの１つ以上をデバイス内のデータメモリ（例えば、レジスタ）に格納することができる。例えば、図５のデータメモリ５２２は、デバイスパラメータ５２４を含むことができる。同様に、図８のデータメモリ８２０は、デバイスパラメータ８２２を含むことができる。実際上は、デバイスパラメータを格納する共通のデータメモリを送信機５００及び受信機８００によって使用することができる。すなわち、データメモリ５２２及び８２０は、同じデータメモリを備えることができ、パラメータ５２４及び８２２は、同じパラメータを備えることができる。
【００４７】
次にブロック７１２に関して、調整可能な遅延を用いる用途においては、デバイスは、１つのタイプの調整可能な遅延を選択することができ、さらに、選択されたタイプに関して、遅延を調整するために用いられる特定のシーケンスを選択することができる。幾つかの用途においては、非ランダムなシーケンスを選択することができる。このタイプのシーケンスは、例えば、そのシーケンスによって定義された期間のタイミング及び幅の選択を通じてその他のチャネルとの直交性を達成させることができる用途において用いることができる。
【００４８】
しかしながら、典型的には、遅延を調整するために擬似ランダムシーケンスが用いられる。該シーケンスは、時間ホッピングシーケンス又はその他の適切なタイプのシーケンスとして実装することができる。この目的のために、受信機８００内の送信機５００は、１つ以上の擬似ランダムシーケンス生成器を組み入れることができる。図５に示されるように、擬似ランダムシーケンス生成器５１４は、基準とデータとの間における遅延に関する擬似ランダムシーケンスを生成するために用いることができる。図８の受信機８００は、同様の擬似ランダムシーケンス生成器８１２を含むことができる。送信機５００内の擬似ランダムシーケンス生成器５１６は、パルス繰り返し期間に関する擬似ランダムシーケンスを生成するために用いることができる。受信機８００は、同様の擬似ランダムシーケンス生成器８１４を含むことができる。幾つかの実装においては、送信機５００及び受信機８００の別々の構成要素として描かれる擬似ランダムシーケンス生成器のうちの１つ以上に関して共通の生成器を用いることができる。
【００４９】
特定のタイプの遅延が選択された時点で、デバイスは、その遅延のタイプに関して特定のシーケンスを選択することができる。繰り返しになるが、デバイスは、遅延シーケンスを選択するように適合化された１つ以上の構成要素を含むことができる。例えば、送信機５００は、基準とデータとの間における遅延シーケンスを選択するように適合化された可変遅延シーケンス選択器５１８を含むことができる。受信機８００は、同様の可変遅延シーケンス選択器８１６を含むことができる。さらに、送信機５００は、パルス繰り返し期間シーケンスを選択するように適合化された可変遅延シーケンス選択器５２０を含むことができる。受信機８００は、同様の可変遅延シーケンス選択器８１８を含むことができる。上述されるのと同様の方法で、送信機５００及び受信機８００によって共通の可変遅延シーケンス選択器を用いることができる。
【００５０】
対応する選択プロセス又はプロセス（複数）は、例えばブロック７１４、７１６、７１８及び７２０によって表されるような様々な方法で実行することができる。ブロック７１４、７１６及び７１８の動作は、上述されるブロック７０６、７０８、及び７１０の動作と同様であることができる。
【００５１】
幾つかの側面においては、ブロック７２０によって表されるように、１つ以上のパラメータ（例えばデバイス関連パラメータ）に基づいてシーケンスを選択することができる。上述されるように、該パラメータは、チャネルを介して通信していることになるデバイスのうちの１つ以上のデバイスと関連することができる。例えば、擬似ランダムシーケンスは、デバイスのアドレス、デバイスの所在位置、時刻、デバイスの型、又はその他の適切なパラメータのうちの１つ以上に基づいて選択することができる。
【００５２】
繰り返しになるが、これらのパラメータのうちの１つ以上をデバイス内のデータメモリ（例えばレジスタ）に格納することができる。例えば、図５のデータメモリ５２２は、デバイスパラメータ５２４を含むことができ、図８のデータメモリ８２０は、デバイスパラメータ８２２を含むことができる。幾つかの側面においては、上述されるように、デバイスパラメータを格納する共通のデータメモリを送信機５００及び受信機８００によって使用することができる。
【００５３】
デバイスが遅延パラメータを定義した時点で、デバイスは、選択されたパラメータに従った信号の送信及び受信を可能にするように該当する構成要素を構成することができる。例えば、図５において、遅延情報５２６は、基準とデータとの間における遅延及び／又はパルス繰り返し期間等の遅延パラメータを含むことができる。同様に、図８において、遅延情報８２４は、遅延パラメータを含むことができる。繰り返すと、このタイプの情報は、共通のデータメモリに格納して送信機５００及び受信機８００によって共有することができる。
【００５４】
再度図６に関して、ブロック６０４によって表されるように、パルス生成器５０２は、定義されたパルス繰り返し期間に従って基準パルスを生成する。プログラミング可能な又は調整可能なパルス繰り返し期間をサポートする用途においては、パルス繰り返しコントローラ５２８は、生成されたパルス間の時間間隔を制御するための制御信号５３０をパルス生成器５０２に提供することができる。上述されるように、この時間間隔は、遅延情報５２６に基づくことができる。
【００５５】
ブロック６０６によって表されるように、遅延回路５０４は、定義された基準とデータとの間における遅延に従って基準信号を遅延させる。プログラミング可能な又は調整可能な基準とデータとの間における遅延をサポートする用途においては、基準とデータとの間における遅延コントローラ５３２は、遅延回路５０４の遅延を制御するための制御信号５３４を生成することができる。上述されるように、この遅延は、遅延情報５２６に基づくことができる。
【００５６】
ブロック６０８において、送信機５００は、遅延された基準パルスからデータパルスを導き出す。例えば、遅延された基準パルスは、所定の変調方式に従って送信されるべきデータによって変調することができる。図５においては、送信されるべきデータビットから成るデータストリーム５３６が、拡散符号生成器５３８に提供される。図５に示される２進位相偏移変調例において、乗算器５０６は、送信されるべきデータを代表する拡散符号生成器５３８の出力（例えば、＋１又は−１）を遅延された基準パルスに乗じる。代替として、移相器を用いることで、２つ以上の移相（Ｍ−ＰＳＫで、Ｍ＝２、３、４、等）を採用する位相偏移変調に関して送信されるべきデータ（例えば、拡散符号生成器５３８の出力）を用いて遅延されたパルスを変調することができる。いずれの場合においても、加算器５０８を用いて、結果的に得られたデータパルスを整形フィルタ（例えば、バンドパスフィルタ）５４０への出力経路に結合することができる。
【００５７】
ブロック６１０によって表されるように、送信機回路５４２は、（基準パルスとデバイスパルスとを含む）送信基準信号を処理し、その結果得られた信号を媒体を通じて送信するためにアンテナ５４４に提供する。ブロック６１２によって表されさらにブロック６０４と関連させて説明されるように、パルス生成器５２０は、定義されたパルス繰り返し期間が終了するまで他のパルスを生成するのを待つ。
【００５８】
ブロック６１４によって表されるように、調整可能な基準とデータとの間における遅延及び／又は調整可能なパルス繰り返し期間をサポートする用途においては、対応する時間間隔は、対応するシーケンスに従って調整することができる。繰り返すが、該調整は、該当する制御信号５３０及び／又は５３４が印加された時点で開始することができる。
【００５９】
次に図８に関して、受信機８００は、受信機回路８０２（例えば、信号生成器）と、遅延回路８０４と、受信されたパルスを生成しこれらの受信されたパルスを処理して送信されたデータを復元するように適合化された結合器回路（例えば、乗算器８０６）と、を含む。受信機８００の典型的動作が図９の流れ図と関連させて説明される。ここで、受信機は、例えば上述されるようにチャネルパラメータを既に生成又は取得していると想定される。
【００６０】
ブロック９０２によって表されるように、受信機回路８０２は、チャネルに関するパルス繰り返し期間に対応する間隔でそのチャネルから信号を受信する。この目的のため、受信機回路８０２は、アンテナ８３０から信号を受信してこれらの信号を処理し、チャネルを通じて送信される信号に対応する受信された基準パルス及びデータパルスを提供するように適合化された回路（例えば、増幅器８２６及びフィルタ８２８）を含む（ブロック９０４）。これで、回路は、受信された信号内のパルスを検出して受信されたパルスを生成することができる。
【００６１】
ブロック９０６によって表されるように、遅延回路８０４は、ブロック９０４において生成された基準パルスを定義された基準とデータとの間における遅延に従って遅延させる。プログラミング可能な又は調整可能な基準とデータとの間における遅延をサポートする用途においては、基準とデータとの間における遅延コントローラ８３０は、遅延回路８０４の遅延を制御するための制御信号８３２を生成することができる。上述されるように、この遅延は、遅延情報８２４に基づくことができる。
【００６２】
ブロック９０８によって表されるように、乗算器８０６は、遅延された基準パルスに対応するデータパルスをその基準パルスに乗じる。ここで、基準パルスは、データパルスからデータを復元するための整合フィルタを実効的に提供する。幾つかの用途においては、データ復元精度を向上させるために（例えば、拡散符号を用いて）各パルスに関して複数のパルスを送信しておくことができる。さらに、幾つかの用途においては、幾つかの基準パルスは、雑音の影響を軽減するために平均化することができる。この方法により、有効な整合フィルタの特性を向上させることができる。
【００６３】
ブロック９１０によって表されるように、積分器８３４は、乗算された信号を積分して検出されたデータパルスを提供する。幾つかの側面においては、積分器８３４の動作は、部分的には、チャネルと関連づけられたパルス繰り返し期間に基づくことができる。例えば、パルス繰り返し期間コントローラ８３８は、各データパルスのみをキャプチャするために該当する時間に積分器８３４をオン及びオフにするためにも用いられる制御信号８４０を生成することができる。
【００６４】
幾つかの側面においては、検出されたパルスは、信号をデジタルデータに変換するアナログ−デジタル変換器（“ＡＤＣ”）８３６に直接供給される。ここで、コントローラ８３８は、該当する時点に積分器８３４によって出力された信号をキャプチャするために該当する時点にアナログ−デジタル変換器８３６をオン及びオフにするために用いられる制御信号８４２を生成することができる。変換器８３６が必要でないときに変換器８３６をオフにすることによって、変換器８３６によって消費される電力を低減させることができる。
【００６５】
制御信号８４０及び８４２を該当する時点において生成するために送信機と受信機８００との間で同期化を維持するために様々な機構を採用することができる。例えば、送信機は、時折受信機８００にタイミング信号を送信することができる。さらに、受信機は、同期化を維持するための該当する時間追跡アルゴリズムを採用することができる。
【００６６】
幾つかの側面においては、積分器８３４と変換器８３６との間においてピーク検出器（示されていない）を採用することができる。この場合は、変換器８３６は、単に、検出されたピーク（例えば、正及び負のピーク）を変換して受信データを提供することができる。該構成は、例えば積分器８３４及び／又は変換器８３６を制御するために精密なタイミング情報が用いられないときに用いることができる。この事例は、ピークのタイミングが知られていないか又は高い確実性を持って知られていないときである。該事例においては、制御信号８４０及び８４２ははるかに精度が低いことがあり、幾つかの事例においては採用できないことがある。
【００６７】
図５乃至９と関連させて上述される構成要素及び動作は、その他の型の信号を生成及び受信するように適合化できることが明確に理解されるべきである。例えば、回路は、複数のチャネルに関して共通の基準パルスが用いられる実装を提供するために図１０乃至１２と関連させて説明されるように変更することができる。さらに、遅延回路及び関連する動作を取り除くことにより、これらの構成要素は、図１３及び１４と関連させてより詳細に説明されるように、定義されたパルス繰り返し期間及びデータビットに従ってパルスを生成して処理するだけであるようにすることができる。さらに、回路は、図１５及び１６と関連させてより詳細に説明されるように異なる変調方式を具体化した送信基準信号を生成及び処理するように適合化することができる。
【００６８】
次に、図１０乃至１２に関して、幾つかの側面においては、送信機が複数のチャネルを通じて同時にデータを送信中である場合に複数のチャネルに関して共通の基準パルスを利用することができる。例えば、図１０は、第１のチャネルと関連づけられたデータパルス１００４及び第２のチャネルと関連づけられたデータパルス１００６によって後続される基準パルス１００２を描く。ここで、第１の基準とデータとの間における遅延期間１００８が第１のチャネルに関して定義され、第２の基準とデータとの間における遅延期間１０１０が第２のチャネルに関して定義される。さらに、この側面は、パルス位置変調及び／又は調整シーケンスを用いて実装された調整可能な基準とデータとの間における遅延と関連して用いることができる。さらに、この側面は、ここにおいて教示されるパルス繰り返し期間技法とともに用いることができる。
【００６９】
図１１は、図１０に示されるパルス等のパルスを生成するために用いることができる図５の適合化例を示す。図１２は、これらのパルスを生成するために実行できる対応する動作を説明する。
【００７０】
図１２のブロック１２０２によって表されるように、パルス生成器１１０２（例えば、パルス生成器５０２）は、第１のチャネル及び第２のチャネルに関して単一の基準パルスを生成する。ブロック１２０４によって表されるように、遅延回路１１０４（例えば、遅延回路５０４）は、第１のチャネルに関して定義された基準とデータとの間における遅延期間に従って基準パルスを遅延させる。ブロック１２０６によって表されるように、乗算器１２０６（例えば、乗算器５０６）、及び該当するその他の回路（示されていない）は、第１のチャネルに関するデータに遅延された基準信号を乗じて第１のチャネルに関するデータパルスを導き出す。
【００７１】
ブロック１２０８によって表されるように、遅延回路１１０８は、第２のチャネルに関して定義された基準とデータとの間における遅延期間に従って基準パルスを遅延させる。ブロック１２１０によって表されるように、乗算器１１１０（及び示されていないその他の任意の回路）は、第２のチャネルに関するデータに遅延された基準信号を乗じて第２のチャネルに関するデータパルスを導き出す。
【００７２】
ブロック１２１２によって表されるように、加算器１１１２（例えば、加算器５０８と類似の加算器）は、基準パルス及びデータパルスを送信出力ストリームに結合する。次に、これらのパルスは、必要に応じてコンディショニングされ、上述される無線媒体を通じての送信のためにアンテナに提供される。有利なことに、上記の技法を使用することで、より少ない数の基準パルスが送信されるため送信機の電力消費量を低減させることができる。
【００７３】
図１０の方法で生成されたパルスを処理するために図８の受信機８００に対して修正を行う必要がないことが明確に理解されるべきである。例えば、第１のチャネルにおいてパルスを受信するように構成された受信機８００は、遅延１００８に対応する期間を遅延させるように遅延回路８０４を構成する。これで、データパルス１００６は無視することができる。逆に、第２のチャネルにおいてパルスを受け取るように構成された受信機８００は、遅延１０１０に対応する期間を遅延させるように遅延回路８０４を構成する。この場合は、データパルス１００４は無視することができる。
【００７４】
次に図１３及び１４に関して、幾つかの側面においては、異なるチャネルに関して異なるパルス繰り返し期間を割り当てることによって超広帯域システム内における多元接続を提供することができる。図１３は、２つのチャネルが異なるパルス繰り返し期間１３０２及び１３０４を用いる例を示す。具体的には、チャネル１パルス１３０６及び１３０８は、パルス繰り返し期間１３０２だけ分離された時間に送信される。チャネル２においては、パルス１３１０及び１３１２は、パルス繰り返し期間１３０４だけ分離された時間に送信される。
【００７５】
図１３は、パルスが送信基準パルスである必要がないことも示す。すなわち、この超広帯域多元接続技法と関連させてその他のパルス変調方式を用いることができる。
【００７６】
次に図１４の動作に関して、図５の送信機５００又はその他の適切な送信機は、この多元接続技法に従って信号を生成するように容易に適合化できることが明確に理解されるであろう。ブロック１４０２によって表されるように、パルス繰り返し期間が所定のチャネルに関して定義される。ブロック１４０４によって表されるように、パルス生成器（例えば、パルス生成器５０２）は、例えば、（例えば上述される方法と類似の方法で）生成されたパルスをデータビットストリームに乗じることによって変調できるパルスを生成する。ブロック１４０６によって表されるように、生成されたパルスは、パルスを処理して無線媒体を通じて送信する送信機出力回路に提供される。ブロック１４０８によって表されるように、パルス生成器は、（例えば、コントローラ５２８の制御下で）パルス繰り返し期間によって定義される間隔でパルスを生成することができる。さらに、ブロック１４１０によって表されるように、パルス繰り返し期間は、ここにおいて説明されるシーケンスに従って調整することができる。
【００７７】
幾つかの側面においては、デバイスは、異なる変調方式をサポートするように構成することができる。図１５及び１６は、送信基準信号に関する２つの変調方式例を示す。これらの例は、例示目的で提供されること及びその他の変調方式又はこれらの方式の修正（例えば、Ｍ−ＰＳＫ、Ｍ−ＰＰＭ、等のその他のｎ進変調）をここにおける教示に従って採用可能であることが明確に理解されるべきである。
【００７８】
図１５は、２進位相偏移変調方式例を示す。ここで、基準パルス１５０２は、反対の極性を有しそれにより２進ゼロを表すデータパルス１５０４によって後続される。代替として、同じ極性を有するデータパルス１５０８によって後続される基準パルス１５０６は、２進１を表す。この形式でデータを提供するために、図５の送信機５００は、例えばデータビット５３６の値に依存して−１又は＋１を遅延された基準パルスに乗じるように適合化することができる。その他のｎ進変調方式においては、遅延された基準パルスは、その他の位相値に従って移相することができる。
【００７９】
図１６は、２進パルス位置変調方式の例を示す。ここで、基準パルス１６０２は、間隔ΔＴＲでデータパルス１６０４によって後続され、２進１を表す。代替として、基準パルス１６０６は、間隔ΔＴＲ＋ΔＰＰＭでデータパルス１６０８によって後続され、２進ゼロを表す。従って、基準とデータとの間における遅延は、ΔＰＰＭ値によって変調される。その他のｎ進変調方式においては、基準パルスは、その他の遅延値に従って遅延させることができる。
【００８０】
図１６の形式でデータを提供するために、送信機５００は、基準パルスに関して異なる遅延を提供するように構成することができる。例えば、送信機５００は、データビット５３６の値（及びｎ進方式）に基づいて遅延回路５０４の遅延を調整するように適合化することができる。ここで、基準とデータとの間における遅延コントローラ５３２又はその他の適切な構成要素は、データビット５３６に従って遅延回路５０４に関する該当する遅延制御信号を生成するように適合化することができる。この場合は、送信機５００のうちで乗算器５０６に関連する部分を省くことができる。
【００８１】
図１６の形式のデータを受信するために、受信機８００は、受信された基準パルスに関して異なる遅延で受信されたデータパルスを検出するように構成することができる。例えば、回路は、（例えばΔＴＲの遅延を有する）遅延回路８０４及び乗算器８０６と並列に接続された（例えばΔＴＲ＋ΔＰＰＭの遅延を有する）第２の遅延回路と乗算器の対を含むことができる。従って、１つのパルス値（例えば“−１”）を復元するために遅延回路と乗算器の１つの対を用いることができ、他のパルス値（例えば“＋１”）を復元するために遅延回路と乗算器の他の対を用いることができる。その他のｎ進方式に関しては追加の回路を用いることができる。
【００８２】
図１５及び１６の例は、システムが１つ以上の遅延期間だけ時間的に分離された基準パルス及びデータパルスを提供できることを示す。例えば、基準パルス及びデータパルスは、第１のチャネルに関して少なくとも１つの第１の遅延期間だけ時間的に分離する（例えば、第１の固定期間だけ分離する、又はΔＴＲ１又はΔＴＲ１＋ΔＰＰＭだけ分離する）ことができる。さらに、システムは、第２のチャネルに関して少なくとも１つの第２の遅延期間だけ時間的に分離された（例えば、第２の固定期間だけ分離された又はΔＴＲ２又はΔＴＲ２＋ΔＰＰＭだけ分離された）基準パルス及びデータパルスを提供することができる。さらに、第１のチャネルと関連づけられた遅延期間は、第２のチャネルと関連づけられた遅延期間と異なる。
【００８３】
ここにおける教示は、ここにおいて具体的に言及される用途以外の非常に様々な用途に対して適用可能であることが明確に理解されるべきである。例えば、本明細書の教示は、異なる帯域幅、信号型（例えば、形状）、変調方式又は信号周期性を利用するシステムに対して適用可能である。さらに、遅延回路は、様々な形態をとることができ、制限することなしに、遅延ライン、１つ以上の遅延要素、送信ライン、又は信号において所定の遅延を分配することができるその他の適切な機構を含む。遅延回路は、固定であること又は調整可能であることができる。前者の場合においては、遅延回路は、デバイス内のその他の遅延回路に関して割り当てられた遅延値と異なる所定の遅延値を提供するように固定することができる。
【００８４】
本明細書の教示は、様々なデバイス内に組み入れることもできる。例えば、電話（例えば携帯電話）、パーソナルデータアシスタント（“ＰＤＡ”）、娯楽機器（例えば音楽又は映像機器）、ヘッドセット、マイク、バイオメトリックセンサー（例えば、心拍数モニター、歩数計、ＥＫＧデバイス、等）、ユーザーＩ／Ｏデバイス（例えば、腕時計、リモコン、等）又はその他の適切な通信デバイス内に組み入れることができる。さらに、これらのデバイスは、電力及びデータに関して異なる要求を有することができる。有利なことに、ここにおける教示は、（例えば、パルス式シグナリング方式の使用を通じて）低電力用途において用いるように適合化することができ、さらに（例えば高帯域幅パルスの使用を通じて）相対的に高いデータレートを含む様々なデータレートをサポートすることができる。
【００８５】
ここにおいて説明される構成要素は、様々な方法で実装することができる。例えば、図１７に関して、装置１７００は、図５の送信機５００の構成要素５０２、５０４、５０６及び５０８、５１０及び５１８、５１２及び５２０、５１４、５２８、５３２、５３２、及び５４０及び５４２にそれぞれ対応することができる構成要素１７０２と、１７０４と、１７０６と、１７０８と、１７１０と、１７１２と、１７１４と、１７１６と、１７１８と、１７２０と、を含む。図１８において、装置１８００は、図８の構成要素８０２、８０４、８０６、及び８０８及び８１６にそれぞれ対応することができる構成要素１８０２と、１８０４と、１８０６と、１８０８と、を含む。図１９の装置１９００は、図５の構成要素５０２、５１２及び５２０、５１６、５２０、５２８、５２８、及び５２８にそれぞれ対応することができる構成要素１９０２と、１９０４と、１９０６と、１９０８と、１９１０と、１９１２と、１９１４と、を含む。図１７乃至１９は、幾つかの側面においてはこれらの構成要素は該当するプロセッサ構成要素を介して実装できることを示す。これらのプロセッサ構成要素は、幾つかの側面においては、少なくとも部分的には、ここにおいて教示される構造を用いて実装することができる。幾つかの側面においては、ダッシュ線の四角形によって表される構成要素はオプションである。
【００８６】
さらに、図１７乃至１９によって表される構成要素と機能、及びここにおいて説明されるその他の構成要素と機能は、あらゆる適切な手段を用いて実装することができる。該手段は、少なくとも部分的には、ここにおいて教示される対応する構造を用いて実装することもできる。例えば、幾つかの側面においては、パルスを提供又は生成するための手段は、パルス生成器を備えることができ、遅延させるための手段は、遅延回路を備えることができ、導き出す又は変調するための手段は、変調器を備えることができ、選択又は定義するための手段は、選択器を備えることができ、生成するための手段は、生成器を備えることができ、調整するための手段は、調整器を備えることができ、通信するための手段は、通信回路を備えることができ、送信するための手段は、送信機を備えることができ、受信されたパルスを生成するための手段は、受信機回路を備えることができ、結合するための手段は、結合器を備えることができ、制御するための手段は、コントローラを備える。該手段のうちの１つ以上は、図１７乃至１９のプロセッサ構成要素のうちの１つ以上に従って実装することも可能である。
【００８７】
情報及び信号は様々な異なる技術及び技法のうちのいずれかを用いて表すことができることを当業者は理解するであろう。例えば、上記の説明全体を通じて言及されることがあるデータ、命令、コマンド、情報、信号、ビット、シンボル、及びチップは、電圧、電流、電磁波、磁場、磁気粒子、光学場、光学粒子、又はそのいずれかの組合せを用いて表すことができる。
【００８８】
ここにおいて開示される側面に関係させて説明される様々な例示的論理ブロック、モジュール、プロセッサ、手段、回路、及びアルゴリズム上のステップは、電子ハードウェア、（ここにおいて便宜上“ソフトウェア”又は“ソフトウェアモジュール”と呼ぶことができる）命令を組み込んだ様々な形態のプログラム又は設計コード、又は両方の組合せとして実装することができる。ハードウェアとソフトウェアのこの互換性を明確に例示するため、上記においては、様々な例示的構成要素、ブロック、モジュール、回路、及びステップが、各々の機能の観点で一般的に説明されている。該機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、これらの実装決定は、本開示の適用範囲からの逸脱を生じさせるものであるとは解釈すべきではない。  
ここにおいて開示される側面と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラミング可能な論理デバイス、ディスクリートゲートロジック、ディスクリートトランジスタロジック、ディスクリートハードウェア構成要素、又はそのあらゆる組合せ、とともに実装すること又は実行することができる。汎用プロセッサはマイクロプロセッサであることができるが、代替として、従来のどのようなプロセッサ、コントローラ、マイクロコントローラ、又はステートマシンであってもよい。さらに、プロセッサは、計算装置の組合せ、例えば、ＤＳＰと、１つのマイクロプロセッサとの組合せ、複数のマイクロプロセッサとの組合せ、ＤＳＰコアと関連する1つ以上のマイクロプロセッサとの組合せ、又はその他のあらゆる該コンフィギュレーションとの組合せ、として実装することもできる。
【００８９】
開示されるプロセスにおけるステップの特定の順序又は階層は、１つの手法見本例であることが理解される。設計上の選好に基づき、プロセスにおけるステップの特定の順序又は階層は、本開示の適用範囲内にとどまりつつ変更できることが理解される。添付された方法請求項は、様々なステップの要素を１つの順序例において提示するものであり、提示された特定の順序又は階層に限定されることは意味しない。
【００９０】
ここにおいて開示される側面に関係させて説明される方法又はアルゴリズムのステップは、ハードウェア内において直接具体化させること、プロセッサによって実行されるソフトウェアモジュール内において具体化させること、又はこれらの２つの組合せにおいて具体化させることができる。（例えば、実行可能な命令及び関連データを含む）ソフトウェアモジュール及びその他のデータは、データメモリ、例えば、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態のコンピュータによって読み取り可能な記憶媒体において常駐することができる。記憶媒体例は、機械、例えば（ここにおいては便宜上“プロセッサ”と呼ぶことができる）コンピュータ／プロセッサ、に結合させ、プロセッサが記憶媒体から情報（例えば、符号）を読み出すようにすること及び記憶媒体に情報を書き込むようにすることができる。記憶媒体例は、プロセッサと一体化させることができる。プロセッサ及び記憶媒体は、ＡＳＩＣ内に常駐することができる。ＡＳＩＣは、ユーザー装置内に常駐することができる。代替として、プロセッサ及び記憶媒体は、ユーザー装置内において個別構成要素として常駐することができる。
【００９１】
開示される側面に関する上記の説明は、当業者が本開示を製造又は使用できるようにすることを目的とするものである。これらの側面に対する様々な修正は、当業者にとって容易に明確になるであろう。さらに、ここにおいて定められている一般原理は、本開示の精神及び適用範囲を逸脱しない形でその他の側面に対しても適用することができる。以上のように、本開示は、ここにおいて示される側面に限定されることが意図されるものではなく、ここにおいて開示される原理及び斬新な特長に一致する限りにおいて最も広範な適用範囲が認められるべきである。
【図１】
0005431164.tif 000002
【図２】
0005431164.tif 000003
【図３】
0005431164.tif 000004
【図４】
0005431164.tif 000005
【図５】
0005431164.tif 000006
【図６】
0005431164.tif 000007
【図７】
0005431164.tif 000008
【図８】
0005431164.tif 000009
【図９】
0005431164.tif 000010
【図１０】
0005431164.tif 000011
【図１１】
0005431164.tif 000012
【図１２】
0005431164.tif 000013
【図１３】
0005431164.tif 000014
【図１４】
0005431164.tif 000015
【図１５】
0005431164.tif 000016
【図１６】
0005431164.tif 000017
【図１７】
0005431164.tif 000018
【図１８】
0005431164.tif 000019
【図１９】
0005431164.tif 000020